(57)【要約】【課題】サイドバイサイド方式の三次元映像と二次元映像が混在した番組を受信して表示する場合に、確実に三次元映像か否かを判別できるディスプレイ装置を提供する。【解決手段】本発明のディスプレイ装置は、入力映像信号の左側半部と右側半部の相関性情報を出力する解析部と、相関性情報に応じて入力映像信号が三次元映像か否かを判定する判定部と、三次元映像であると判定された後で、入力映像信号を左目用映像及び右目用映像に分離して出力するストリーム処理部と、立体映像を生成して出力する映像出力部と、を備え、判定部は、判定結果を仮映像情報として格納し、現在の映像情報を取得して仮映像情報と比較し、現在の映像情報と仮映像情報が一致しない場合は入力映像信号の経過時間情報を取得し、経過時間情報が所定時間以内の場合に現在の映像情報を仮映像情報で更新し、現在の映像情報に応じて三次元映像か二次元映像かを決定する、ことを特徴とする。【選択図】図１
2013026701.tif 000002
【特許請求の範囲】
【請求項１】
入力映像信号の左側半部と右側半部の相関性を示す相関性情報を出力する画像解析部と、
前記相関性情報に応じて、前記入力映像信号が三次元映像か二次元映像かを判定する映像判定部と、
前記映像判定部において前記入力映像信号が三次元映像であると判定された後で、前記入力映像信号を左目用映像及び右目用映像に分離して出力するストリーム処理部と、
前記ストリーム処理部から入力された前記左目用映像と前記右目用映像から立体映像を生成して出力する映像出力部と、を備え、
前記映像判定部は、判定結果を仮映像情報として格納し、所定時間経過後の映像情報である現在の映像情報を取得して前記仮映像情報と比較し、前記現在の映像情報と前記仮映像情報が一致しないと判断した場合は前記入力映像信号の経過時間情報を取得し、前記経過時間情報が所定時間以内の場合に前記現在の映像情報を前記仮映像情報で更新し、前記現在の映像情報に応じて三次元映像か二次元映像かを決定する、ことを特徴とするディスプレイ装置。
【請求項２】
前記映像判定部は、前記現在の映像情報と前記仮映像情報が一致しないと判断した場合は前記入力映像信号に含まれる放送番組の番組開始時刻情報と現在時刻情報とを取得し、前記番組開始時刻情報と前記現在時刻情報の差分が所定時間以内の場合に前記現在の映像情報を前記仮映像情報で更新し、前記現在の映像情報に応じて三次元映像か二次元映像かを決定する、ことを特徴とする請求項１に記載のディスプレイ装置。
【請求項３】
入力映像信号の左側半部と右側半部の相関性を示す相関性情報を出力する画像解析ステップと、
前記相関性情報に応じて、前記入力映像信号が三次元映像か二次元映像かを判定する映像判定ステップと、
前記映像判定ステップにおいて前記入力映像信号が三次元映像であると判定された後で、前記入力映像信号を左目用映像及び右目用映像に分離して出力するストリーム処理ステップと、
前記ストリーム処理ステップから入力された前記左目用映像と前記右目用映像から立体映像を生成して出力する映像出力ステップと、を有し、
前記映像判定ステップは、判定結果を仮映像情報として格納し、所定時間経過後の映像情報である現在の映像情報を取得して前記仮映像情報と比較し、前記現在の映像情報と前記仮映像情報が一致しないと判断した場合は前記入力映像信号の経過時間情報を取得し、前記経過時間情報が所定時間以内の場合に前記現在の映像情報を前記仮映像情報で更新し、前記現在の映像情報に応じて三次元映像か二次元映像かを決定する、ことを特徴とするディスプレイ制御方法。
【請求項４】
前記映像判定ステップは、前記現在の映像情報と前記仮映像情報が一致しないと判断した場合は前記入力映像信号に含まれる放送番組の番組開始時刻情報と現在時刻情報とを取得し、前記番組開始時刻情報と前記現在時刻情報の差分が所定時間以内の場合に前記現在の映像情報を前記仮映像情報で更新し、前記現在の映像情報に応じて三次元映像か二次元映像かを決定する、ことを特徴とする請求項３に記載のディスプレイ制御方法。
【発明の詳細な説明】
【技術分野】
【０００１】
本発明は、ディスプレイ装置及びディスプレイ制御方法に関し、特に、三次元映像の表示が可能なディスプレイ装置及び方法において、三次元映像と二次元映像が混在した映像情報、例えば、放送番組やイーサネット（登録商標）経由の映像情報を表示する技術に関するものである。
【背景技術】
【０００２】
近年、三次元映像表示方法として、左右の目の視差を利用して作成した右目用の映像と左目用の映像を、それぞれ対応する目に個別に入射させるように構成して立体的な表示を行う三次元映像表示装置が実用化されている。衛星放送やケーブル放送などでは、左目用映像と右目用映像とをそれぞれ水平方向に１／２サブサンプリングし、サンプリングした左目用映像を画面左側に、サンプリングした右目用映像を画面右側に位置させた三次元映像の記録フォーマットであるサイドバイサイド方式による三次元映像放送が開始された。サイドバイサイド方式で形成された三次元映像は、表示装置側で立体視が可能となるように、右目用映像と左目用映像が合成して表示される。
【０００３】
二次元映像と三次元映像が混在した放送番組を送信する際に、映像信号の左目用映像及び右目用映像の画素を比較して差異値及び類似度で相関性を求め、相関性に応じて自動的に二次元映像であるか、三次元映像であるかを判断する映像表示装置が開示されている（例えば、特許文献１参照）。この映像表示装置によれば、映像信号の左目用映像及び右目用映像の画素を比較した映像情報に基づいて、映像表示装置の表示方式を三次元映像対応に設定するか否かを自動的に切替えることができる。
【先行技術文献】
【特許文献】
【０００４】
【特許文献１】特開２０１０−６８３０９号公報
【発明の概要】
【発明が解決しようとする課題】
【０００５】
しかしながら、上記特許文献１に開示されている映像表示装置は、二次元映像であり、かつ右半分と左半分の映像の画素を比較した結果、類似度が非常に高い映像、例えば特殊効果を狙って画面を左右に二分割し、左右のほぼ近似した映像から差異の箇所を発見する番組が映写された場合、二次元映像であるにもかかわらず、左目用映像と右目用映像の相関性が高いために、三次元映像であると誤検出してしまうという問題があった。
【課題を解決するための手段】
【０００６】
本発明のディスプレイ装置は、入力映像信号の左側半部と右側半部の相関性を示す相関性情報を出力する画像解析部と、相関性情報に応じて、入力映像信号が三次元映像か二次元映像かを判定する映像判定部と、映像判定部において入力映像信号が三次元映像であると判定された後で、入力映像信号を左目用映像及び右目用映像に分離して出力するストリーム処理部と、ストリーム処理部から入力された左目用映像と右目用映像から立体映像を生成して出力する映像出力部と、を備え、映像判定部は、判定結果を仮映像情報として格納し、所定時間経過後の映像情報である現在の映像情報を取得して仮映像情報と比較し、現在の映像情報と仮映像情報が一致しないと判断した場合は入力映像信号の経過時間情報を取得し、経過時間情報が所定時間以内の場合に現在の映像情報を仮映像情報で更新し、現在の映像情報に応じて三次元映像か二次元映像かを決定する、ことを特徴とする。
【発明の効果】
【０００７】
本発明によれば、サイドバイサイド方式の三次元映像と二次元映像が混在した番組を受信して表示する際に、特別な回路を追加することなく確実に三次元映像か否かを判別することができ、二次元映像と三次元映像の切り替え時の誤動作を防ぐことができる。
【図面の簡単な説明】
【０００８】
【図１】本発明の実施の形態１に係るディスプレイ装置の構成を示すブロック図
【図２】本発明の実施の形態１におけるディスプレイ装置の処理を示すフローチャート
【発明を実施するための形態】
【０００９】
以下本発明を実施するための形態について、図面を参照しながら説明する。
【００１０】
（実施の形態１）
本発明の実施の形態１で説明するディスプレイ装置は、サイドバイサイド方式の三次元映像と二次元映像とが混在する入力映像信号、例えば、放送番組の入力映像信号を表示するものであり、三次元映像か否かを確実に判定して、二次元映像から三次元映像への切り替え、または三次元映像から二次元映像への切り替えを自動で行なう。
【００１１】
図１は、本発明の実施の形態１に係るディスプレイ装置の構成を示すブロック図である。ディスプレイ装置１は、コントロール部１５と、復調ブロック１１と、表示モジュール１２０と、を備える。復調ブロック１１は、チューナー１１１と、復調部１１２と、復号部１１３と、入力切換部１１４と、ストリーム処理部１１５と、デコード部１１６と、映像合成部１１８と、映像出力部１１９と、画像解析部１１７とを備える。ストリーム処理部１１５は、メモリ部１１５２と、変換部１１５１とを備える。
【００１２】
ディスプレイ装置１を操作するユーザは、操作部２を通じて、ディスプレイ装置１に対してユーザ操作要求を行う。操作部２は、例えば、ディスプレイ装置１のフロントパネルやサイドパネルに配置されている操作パネルや、ディスプレイ装置１に付属のリモコンなどで構成されている。
【００１３】
コントロール部１５は、映像判定部１５１を備え、ディスプレイ装置１全体を統合制御するものであり、操作部２からのユーザ操作要求を受けることができるように構成されている。そして、操作部２によって入力されたユーザ操作要求の内容を解釈し、復調ブロック１１を制御することで任意の放送番組からストリーム情報を抽出し、ストリーム情報の復号化および表示を行う。なお、ストリーム情報とは、符号化映像が多重化された情報を示し、ストリーム情報を分離することにより、映像ストリーム、音声ストリーム、番組開始時間情報や現時刻情報等が含まれるシステム管理情報に分離することができる。
【００１４】
復調ブロック１１は、コントロール部１５からの指示のもと、ストリーム情報の再生、表示を行っている。画像解析部１１７は、デコード部１１６から復号化された映像信号を受けて、映像信号を解析し、左側の半部と右側の半部の相関性についての情報を得て映像判定部１５１に出力する。映像判定部１５１は、ストリーム情報の再生開始時に、画像解析部１１７から入力された情報に応じて、三次元映像か否か（三次元映像か二次元映像か）を判定し、判定結果に基づいて、三次元映像の場合にはサイドバイサイド方式の入力映像から立体映像を生成して立体映像を表示させる。
【００１５】
ここで、映像判定部１５１は、コントロール部１５内のファームウェアなどで構成される例を示しているが、コントロール部１５の外部に設けても良いし、当該機能を有するハードウェアであっても良い。一方、画像解析部１１７は、ハードウェアで構成されている例を示しているが、コントロール部１５内のファームウェアで構成しても良い。
【００１６】
次に図１及び図２を用いて、本実施の形態におけるディスプレイ装置１の処理の流れを説明する。チューナー１１１は、コントロール部１５からの指示に基づいて、アンテナ（図示せず）で受信した放送電波から、選局された放送局の変調波を取り出す。復調部１１２は、チューナー１１１から入力された変調波をベースバンド信号に変換する。復号部１１３は、情報が欠落した際に誤り訂正用情報に基づいて、情報欠落箇所を修正して正しい情報に戻して出力する。入力切換部１１４は、復号部１１３から入力された信号またはイーサネット（登録商標）処理部１２１から入力された信号を切り換え、ストリーム処理部１１５に出力する。ストリーム処理部１１５は、ディスプレイ装置１全体のストリーム情報の流れを統括制御しており、ストリーム情報を一時的に展開するための一時メモリ領域であるメモリ部１１５２を備えている。メモリ部１１５２は、少なくとも映像の１フレーム分のストリーム情報を格納しておける容量を持つ。
【００１７】
コントロール部１５は、メモリ部１１５２に格納されているストリーム情報中のシステム管理情報を解析することで、ストリーム情報を構成する映像ストリーム、音声ストリームに関する後述する識別番号を知ることができる。
【００１８】
デコード部１１６は、映像フレームを復号化し、復号化により得られた映像信号を画像解析部１１７に出力する。画像解析部１１７は、映像信号を解析し、左側の半部と右側の半部の相関性についての情報である相関性情報を出力する。
【００１９】
映像判定部１５１は、画像解析部１１７から出力された相関性情報に基づいて、解析対象の映像フレームがサイドバイサイド方式の三次元映像であるか否かを予め定められた相関性ルールに則って判定する（ステップＳ０１）。
【００２０】
ステップＳ０１における判別処理でサイドバイサイド方式の三次元映像であると判断された場合（ステップＳ０２で「Ｙｅｓ」）、次のステップＳ０３に進み、三次元映像であるか二次元映像であるかを示す情報である仮映像情報を三次元映像として格納し、ステップＳ０５に進む。一方、サイドバイサイド方式の三次元映像でない場合（ステップＳ０２で「Ｎｏ」）には、次のステップＳ０４に進み、仮映像情報を二次元映像として格納し、ステップＳ０５に進む。
【００２１】
ステップＳ０５における判別処理で、更に所定時間経過後の映像情報を取得し、所定時間経過後の映像情報（現在の映像情報）が仮映像情報と同じ場合（ステップＳ０５で「Ｙｅｓ」）、仮映像情報を破棄して判別処理を終了する。一方、ステップＳ０５における判別処理で、所定時間経過後の映像情報（現在の映像情報）が仮映像情報と異なる場合（ステップＳ０５で「Ｎｏ」）、ステップＳ０６に進み、ストリーム処理部１１５に格納されている映像コンテンツの経過時間情報を取得し、次にステップＳ０７に進む。
【００２２】
ステップＳ０７における判別処理で、経過時間情報がＮ（例えば１分）以下の場合（ステップＳ０７で「Ｙｅｓ」）、仮映像情報に格納されている映像情報は正しいと判断し、現在の映像情報に仮映像情報を格納する（ステップＳ０８）。一方、ステップＳ０７における判別処理で、経過時間情報がＮ（例えば１分）以上の場合（ステップＳ０７で「Ｎｏ」）、仮映像情報に格納されている映像情報は正しくないと判断し、仮映像情報を破棄して判別処理を終了する。上記処理後、映像判定部１５１は、現在の映像情報に基づき、三次元映像であるか二次元映像であるかを最終的に判断する。
【００２３】
三次元映像であると判断された場合は、その後、変換部１１５１において、メモリ部１１５２に保持されているストリーム情報を、左目用映像と右目用映像を示す２本の二次元映像に分離し、各映像における水平方向のサンプリングを２倍にして、それぞれの画像をオリジナル画像サイズに変換し、各映像には別々の後述する識別番号を付加した後で、デコード部１１６に出力する。
【００２４】
以上のように、デコード部１１６の出力に基づいて画像解析部１１７で画像を解析して映像判定部１５１で三次元映像かどうかの判定を行なうときは、ストリーム処理部１１５は、入力切換部１１４から入力される信号を、右側半部の映像と左側半部の映像に分離することなくデコード部１１６に出力するのに対し、映像判定部１５１で三次元映像であると判定した後は、ストリーム処理部１１５は、入力切換部１１４から入力される信号を、右側半部の映像と左側半部の映像に分離した上でデコード部１１６に出力する。三次元映像であると判定された場合には、その後、ストリーム処理部１１５から出力される信号は左目用映像と右目用映像を示す識別番号（それぞれ異なる値に設定されている）を参照して、左目映像信号と右目映像信号をそれぞれ別個の情報としてデコード部１１６へ出力する。デコード部１１６ではそれぞれを個別に復号化した後、２本の映像情報を映像合成部１１８へ出力する。
【００２５】
一方、映像判定部１５１で入力映像が二次元映像であると判断された場合には、コントロール部１５は、あらかじめストリーム情報を構成している映像ストリーム、音声ストリーム、システム管理情報の識別番号を読み出しているので、映像ストリームを識別番号で分離抽出させた後、これらの情報をデコード部１１６へ出力させる。なお、本実施の形態では、映像ストリームの復号化についてのみ図示しているが、音声ストリームやシステム管理情報は、図示しない他のデコード部により復号化される。
【００２６】
次に、映像合成部１１８の処理について説明する。映像合成部１１８では、三次元映像である場合にはデコード部１１６から入力された左目用映像と右目用映像を合成し、１本の映像として映像出力部１１９に出力する。なお、合成とは、例えば、左目用映像を奇数ラインに表示し、右目用映像を偶数ラインに表示する等の処理を指す。ここでは、左目用映像と右目用映像の２本の映像ストリームから立体合成映像を構築する。映像合成部１１８に入力された信号が二次元映像である場合、映像合成部１１８では特段の処理を行わず、そのまま映像出力部１１９へ出力する。
【００２７】
映像出力部１１９では、入力された映像信号をパネルモジュールに適合した信号に変換する。表示モジュール１２０は、映像出力部１１９から入力された出力映像信号の表示を行う。なお、三次元映像を表示している区間の場合、コントロール部１５からの命令が、映像出力部１１９を経由して表示モジュール１２０側に伝えられ、この命令に基づいて、表示モジュール１２０では現在の三次元映像属性に最適な表示方式に切替えを行う。一方、二次元映像表示時には、同様に二次元映像に適した表示方式への切替えを行う。
【００２８】
なお、図２では、ステップＳ０６において映像コンテンツの経過時間情報を取得し、ステップＳ０７において、経過時間情報がＮ（例えば１分）以下の場合に、仮映像情報に格納されている映像情報は正しいと判断し、ステップＳ０８において現在の映像情報を仮映像情報で更新して、二次元映像から三次元映像への切り替え、または三次元映像から二次元映像への切り替えを行なっているが、ステップＳ０６においてストリーム情報中のシステム管理情報に含まれる放送番組の番組開始時刻情報と現在時刻情報とを取得し、ステップＳ０７において、番組開始時刻情報と現在時刻情報との差分がＮ（例えば１分）以下の場合に、仮映像情報に格納されている映像情報は正しいと判断し、ステップＳ０８において現在の映像情報を仮映像情報で更新して、二次元映像から三次元映像への切り替え、または三次元映像から二次元映像への切り替えを行なってもよい。
【００２９】
本実施の形態によれば、特別な回路追加を行うことなく三次元映像か否かを確実に判別することができるため、三次元映像の表示に要する機器の誤作動をコストアップする事なく抑えることができる。
【００３０】
このため本発明のディスプレイ装置１は、表示品質の向上が図ることができるといった効果を奏する。また別の効果として、即座に三次元映像の信号か否かを判別するため、ディスプレイ装置１は、二次元映像と三次元映像の切替えを自動的に、しかも正確に行うことができる。
【産業上の利用可能性】
【００３１】
本発明によれば、特別な回路追加を行うことなく三次元映像か否かを確実に判別することができるため、三次元映像の表示を行う全てのＡＶ機器で有用である。
【符号の説明】
【００３２】
１    ディスプレイ装置
２    操作部
１１    復調ブロック
１５    コントロール部
１２０    表示モジュール
１１１    チューナー
１１２    復調部
１１３    復号部
１１４    入力切換部
１１５    ストリーム処理部
１１６    デコード部
１１７    画像解析部
１１８    映像合成部
１１９    映像出力部
１２１    イーサネット（登録商標）処理部
１１５１    変換部
１１５２    メモリ部
１５１    映像判定部
【図１】
2013026701.tif 000003
【図２】
2013026701.tif 000004